(57)【要約】【課題】入浴者に継続的に運動させることができる浴槽装置を提供する。【解決手段】浴槽装置１において、浴槽２の足側面２ａに水流を断続的に噴射する噴出部３を設け、また、浴槽２内における足側面２ａ側の部分に脚部安定手段６を設ける。噴出部３が噴射する水流の大きさは、入浴者Ｍが、背中ｍ２を背側面２ｂに当接させ、足裏ｍ１を噴出部３に対向させたときに、入浴者Ｍの足関節ａ１、膝関節ａ２及び股関節ａ３を屈曲させることが可能な大きさとする。また、脚部安定手段６は、断続的に噴射される水流によって入浴者Ｍの足が往復運動するときに、足が水流の経路から外れないように案内する。【選択図】図１
2009072516.tif 000002
【特許請求の範囲】
【請求項１】
浴槽と、
前記浴槽の第１の内側面に設けられ、前記浴槽の内部に向けて水流を断続的に噴射する噴出部と、
前記浴槽内における前記第１の内側面側の部分に設けられた脚部安定手段と、
を備え、
前記水流の大きさは、入浴者が、背中を前記第１の内側面に対向する第２の内側面に当接させ、足裏を前記噴出部に対向させたときに、前記入浴者の足関節、膝関節及び股関節を屈曲させることが可能な大きさであり、
前記脚部安定手段は、断続的に噴射される前記水流によって前記入浴者の足が運動するときに、前記足が前記水流の経路から外れないように案内することを特徴とする浴槽装置。
【請求項２】
前記脚部安定手段は、前記噴出部の下方に形成され、前記浴槽の内部に向けて張り出した張出部を有することを特徴とする請求項１記載の浴槽装置。
【請求項３】
前記張出部の上面において、前記水流の経路の直下域に相当する領域に凹部が形成されていることを特徴とする請求項２記載の浴槽装置。
【請求項４】
前記凹部の底面の高さは、前記浴槽の底面の高さと等しいことを特徴とする請求項３記載の浴槽装置。
【請求項５】
前記張出部の上面は滑らかな曲面であることを特徴とする請求項２〜４のいずれか１つに記載の浴槽装置。
【請求項６】
前記脚部安定手段は、前記噴出部の両側に形成され、相互に近づくように張り出した一対の張出部を有することを特徴とする請求項１記載の浴槽装置。
【請求項７】
前記噴出部は２つ設けられており、前記２つの噴出部は水平方向に配列されており、
前記脚部安定手段は、さらに、前記２つの噴出部の間に形成され、前記浴槽の内部に向けて張り出した他の張出部を有することを特徴とする請求項６記載の浴槽装置。
【請求項８】
前記張出部の前記第２の内側面側の端部の位置は、前記入浴者が前記水流によって足関節、膝関節及び股関節を屈曲させたときに前記足が位置する位置よりも前記第２の内側面側であることを特徴とする請求項２〜７のいずれか１つに記載の浴槽装置。
【発明の詳細な説明】
【技術分野】
【０００１】
本発明は、浴槽装置に関し、特に、入浴者に運動させる浴槽装置に関する。
【背景技術】
【０００２】
近年、社会的に健康志向が高まり、フィットネスやエクササイズなどの運動によって健康管理を行いたいという要求が高まっている。また、入浴中に手軽に運動したいという要望もある。
【０００３】
例えば、特許文献１には、浴槽内に踏み込み可能な踏み台を設ける技術が開示されている。踏み台にはバネによって踏み込み負荷が与えられており、入浴者は座位姿勢のまま片足で踏み台を踏み込むことにより、運動することができる。しかしながら、普段から運動習慣の無い人が運動を行うには、相当な意志の力を要する。特に、入浴時はリラックスした精神状態になっているため、意志の力を発揮することは困難である。このため、浴槽内に運動器具を設置しても、運動が長続きしないことが予想される。
【０００４】
【特許文献１】特開２００３−２３６０１４号公報
【発明の開示】
【発明が解決しようとする課題】
【０００５】
本発明の目的は、入浴者に継続的に運動させることができる浴槽装置を提供することである。
【課題を解決するための手段】
【０００６】
本発明の一態様によれば、浴槽と、前記浴槽の第１の内側面に設けられ、前記浴槽の内部に向けて水流を断続的に噴射する噴出部と、前記浴槽内における前記第１の内側面側の部分に設けられた脚部安定手段と、を備え、前記水流の大きさは、入浴者が、背中を前記第１の内側面に対向する第２の内側面に当接させ、足裏を前記噴出部に対向させたときに、前記入浴者の足関節、膝関節及び股関節を屈曲させることが可能な大きさであり、前記脚部安定手段は、断続的に噴射される前記水流によって前記入浴者の足が運動するときに、前記足が前記水流の経路から外れないように案内することを特徴とする浴槽装置が提供される。
【発明の効果】
【０００７】
本発明によれば、入浴者に継続的に運動させることができる浴槽装置を実現することができる。
【発明を実施するための最良の形態】
【０００８】
以下、図面を参照しつつ本発明の実施形態について説明する。
先ず、本発明の第１の実施形態について説明する。
図１は、本実施形態に係る浴槽装置を例示する模式図である。
【０００９】
図１に示すように、本実施形態に係る浴槽装置１においては、浴槽２が設けられている。浴槽２の形状は例えば略直方体形状であり、長手方向の一端部の内側面は、入浴者Ｍが入浴姿勢をとったときにその足裏ｍ１が対向する足側面２ａとなっており、長手方向の他端部の内側面は、入浴者Ｍの背中ｍ２が接触する背側面２ｂとなっている。足側面２ａと背側面２ｂとは、底面２ｃを挟んで相互に対向している。浴槽２の足側面２ａには、噴出部３が設けられている。噴出部３は、浴槽２の内部に向けて断続的に水流を噴射するものであり、この水流の方向は足側面２ａから背側面２ｂに向かう方向である。噴出部３は例えば２個設けられており、水平方向に配列されている。
【００１０】
また、浴槽装置１における浴槽２の外部には、ポンプ４が設けられている。ポンプ４の吸水側の配管は浴槽２の内部に連通されている。これにより、ポンプ４は浴槽２内から水を汲み上げ、水流を生成して吐出する。更に、浴槽装置１における浴槽２の外部には、ポンプ４によって生成された水流を噴出部３に対して断続的に供給する吐水制御手段５が設けられている。吐水制御手段５においては、ポンプ４と噴出部３との間の水路に介在し、水流を切替える機構部５ａと、機構部５ａの動作を制御する切替制御部５ｂとが設けられている。機構部５ａは機械的な装置であり、切替制御部５ｂは電子的な装置である。
【００１１】
噴出部３から噴射する水流の大きさは、入浴者Ｍが背中ｍ２を背側面２ｂに当接させ、足裏ｍ１を噴出部３に対向させたときに、入浴者Ｍの足関節ａ１、膝関節ａ２及び股関節ａ３を同時に屈曲させることが可能な大きさであり、例えば、８０乃至３００リットル／分である。なお、水流の大きさが８０リットル／分未満であると、足関節ａ１、膝関節ａ２及び股関節ａ３を同時に屈曲させることが難しく、３００リットル／分を超えると、浴槽２から水が飛び出すことがある。好ましい水流の大きさは１２０乃至２７０リットル／分であり、より好ましくは１５０乃至２５０リットル／分である。
【００１２】
更にまた、浴槽２内における足側面２ａ側の部分には、脚部安定手段６が設けられている。脚部安定手段６は、入浴者Ｍが足裏ｍ１を足側面２ａに対向させたときに、足が噴出部３から噴射される水流の経路よりも下方に移動しないように規制するものである。また、後述するように、噴出部３から断続的に噴射される水流によって、入浴者Ｍの足は足踏みするようにステッピング運動する。このとき、入浴者Ｍにステッピング運動を効率よく誘発させるためには、噴出部３を浴槽２の底面２ｃから例えば３０ｃｍ（センチメートル）の高さに配置するとよい。これにより、入浴者Ｍの足に最適なステッピング運動が誘発される。そして、このステッピング運動と健常成人男性の足のサイズとを考慮すると、脚部安定手段６の底面２ｃからの高さは、１２乃至１５ｃｍとすることが好ましい。
【００１３】
次に、本実施形態の動作について説明する。
浴槽２内に水（湯）Ｗを入れた状態で、入浴者Ｍが浴槽２内に入り、入浴姿勢をとる。入浴姿勢とは、入浴者Ｍが、臀部を浴槽２の底面２ｃに接触させ、背中ｍ２を浴槽２の背側面２ｂに当接させ、足裏ｍ１を足側面２ａに対向させた姿勢をいう。このとき、脚部安定手段６が入浴者の足が下がることを規制し、一定以上の高さに保持することにより、入浴者Ｍは、足裏を噴出部３に対向する位置に容易に位置させることができる。例えば、入浴者Ｍは、左右の足裏を左右の噴出部３にそれぞれ対向させる。このとき、入浴者Ｍはリラックスした状態にあり、足関節ａ１、膝関節ａ２及び股関節ａ３は脱力されているものとする。
【００１４】
この状態で、ポンプ４が浴槽２内の水を汲み上げて水流を生成し、吐水制御手段５に対して供給する。また、吐水制御装置５の切替制御部５ａが機構部５ｂを制御することにより、水流を噴出部３に対して断続的に供給する。例えば、吐水制御手段５は、左右の噴出部３に対して交互に水流を供給する。これにより、左右の噴出部３から交互に水流が噴射される。すなわち、各噴出部３からは水流が断続的に噴射されるが、その位相は左右の噴出部３の間で相互に逆位相となる。
【００１５】
噴出部３から水流が噴射されると、この水流は入浴者Ｍの足裏を押圧する。これにより、入浴者Ｍの足関節ａ１、膝関節ａ２及び股関節ａ３が同時に屈曲し、足は背側面２ｂに向かって移動する。一方、噴出部３から水流が噴射されなくなると、足裏を押圧する圧力が消失するため、足関節ａ１、膝関節ａ２及び股関節ａ３が自然に伸び、足は足側面２ａに向かって移動し、噴出部３の近傍に戻る。従って、噴出部３が水流を断続的に噴射することにより、入浴者の足が浴槽２の長手方向に沿って往復運動する。また、左右の噴出部３から交互に水流が噴射されることにより、左右の足が逆位相で往復運動し、歩行を模した運動が可能となる。
【００１６】
このとき、脚部安定手段６が足の下方への移動を規制することにより、足の上下方向の可動域を範囲Ｒに制約するため、足は水流の経路から外れにくくなる。これにより、足は水流の経路に沿って往復運動する。すなわち、脚部安定手段６は、噴出部３から断続的に噴射される水流によって入浴者Ｍの足が運動するときに、この足が水流の経路から外れないように案内することができる。つまり、この水流の経路に沿った脚部安定手段６によって、連続的な往復運動中においても噴出部３から噴射される水流を足裏で的確に捉えることができ、ステッピング運動を継続して行うことができる。
【００１７】
次に、本実施形態の効果について説明する。
上述の如く、本実施形態によれば、噴出部３が水流を断続的に噴射することにより、入浴者Ｍの足関節ａ１、膝関節ａ２及び股関節ａ３を屈伸させて、入浴者Ｍに運動させることができる。このとき、左右の噴出部３が交互に水流を噴射することにより、入浴者Ｍに歩行を模した運動を行わせることができる。また、入浴者Ｍは、左右の足裏に交互に吐水されることで、浴槽の背側面２ｂ、底面２ｃ及び足側面２ａに四肢を接することで保持していた入浴姿勢を乱され、乱された入浴姿勢を安定させようとして補償動作をとることで、全身の筋肉を活動させるが、これによっても運動することができる。その際、直接的な外乱としては足裏への吐水が働き、間接的な外乱としては乱された身体の動きによって発生した浴槽内の湯の慣性力・粘性力が働くことで、陸上で運動するよりも効率的に全身を運動させることができる。
【００１８】
このように、本実施形態によれば、入浴者Ｍに運動をさせることができる。この運動は外部から与えられる他力的な他動運動であり、入浴者の意志によって行われる自動運動ではないため、入浴者の意志力に依存する部分が少なく、長続きしやすい。また、この運動は入浴姿勢のまま行うことができるため、入浴者は、リラックスした状態で運動することができる。この結果、運動を継続しやすい。なお、「他動運動」とは、人が自分の筋力ではなく外力を利用して行う運動をいい、本明細書においては、上述の如く姿勢を崩された場合の補償動作も含むものとする。
【００１９】
更に、本実施形態によれば、脚部安定手段６が足の下方への移動を規制することにより、足が水流の経路から外れにくくなり、足の往復運動が安定する。この結果、入浴者は、足を水流の経路内に位置させ続けることに神経を使う必要がなく、よりリラックスした状態で、長時間快適に運動を続けることができる。
【００２０】
更にまた、入浴による温熱効果により、運動効果がより一層向上する。更にまた、水流により入浴者の周囲の温度境界層が常に破壊されるため、入浴者が温まり易く、運動効果が更に向上する。このように、上述の運動を浴槽内で行うことにより、浴槽外で行う場合と比較して、より高い運動効果を得ることができる。
【００２１】
次に、本第１の実施形態を具現化する具体例について説明する。
先ず、第１の実施形態の第１の具体例について説明する。
図２は、本具体例に係る浴槽装置を模式的に例示する斜視図である。
図２においては、浴槽２の背側面２ｂ（図１参照）及び一方の側面は図示を省略されており、ポンプ４（図１参照）も図示を省略されている。後述する図３乃至図７及び図９乃至図１１においても同様である。
【００２２】
図２に示すように、本具体例に係る浴槽装置１１ａにおいては、噴出部としてノズル１３が設けられている。ノズル１３は水平方向に２個配列されており、その間隔は人の両足の間隔程度である。また、脚部安定手段として、張出部１６ａが形成されている。張出部１６ａは、浴槽２の足側面２ａと底面２ｃとの角部であってノズル１３の下方となる位置において、浴槽２の内部に向けて張り出している。張出部１６ａの形状は、浴槽２の幅方向、すなわち、長手方向に対して直交する方向に延びる四角柱形である。従って、張出部１６ａの上面１７ａは平坦である。張出部１６ａの背側面２ｂ側の端部の位置は、入浴者がノズル１３から噴射される水流によって足関節、膝関節及び股関節を屈曲させたときに、入浴者の足裏が位置する位置よりも背側面２ｂ側である。
【００２３】
本具体例においては、入浴者が張出部１６ａの上面１７ａに足を乗せることにより、足裏をノズル１３と同じ高さに位置させることができる。また、ノズル１３から水流が噴射されて、入浴者の足が背側面側に移動したときにも、入浴者の足は上面１７ａに乗っており、沈下することがない。これにより、ノズル１３から水流が断続的に噴射されて足が往復運動する際に、足が上面１７ａよりも下方に移動することを規制し、足が水流の経路から外れないように案内することができる。本具体例における上記以外の構成、動作及び効果は、前述の第１の実施形態と同様である。
【００２４】
次に、第１の実施形態の第２の具体例について説明する。
図３は、本具体例に係る浴槽装置を模式的に例示する斜視図であり、
図４は、本具体例に係る浴槽装置が作動したときの入浴者の運動状態を例示する斜視図である。なお、図４には、入浴者Ｍの下半身が図示されている。
【００２５】
図３に示すように、本具体例に係る浴槽装置１１ｂにおいては、前述の第１の具体例と比較して、張出部の形状が異なっている。すなわち、本具体例においても、前述の第１の具体例と同様に、ノズル１３の下方であって足側面２ａと底面２ｃとの角部に幅方向に延びる張出部１６ｂが形成されているが、張出部１６ｂの上面１７ｂにおいては、ノズル１３から噴射される水流の経路の直下域に相当する領域に、凹部１８ｂが形成されている。すなわち、上面１７ｂには２ヶ所の凹部１８ｂが形成されている。各凹部１８ｂは浴槽２の長手方向に沿って伸びており、その長手方向に対して直交する断面の形状は、上側が広く下側が狭い台形状である。従って、各凹部１８ｂの底面は水平面であり、側面は傾斜面となっている。本具体例に係る上記以外の構成は、前述の第１の具体例と同様である。
【００２６】
図４に示すように、本具体例においても、前述の第１の具体例と同様に、ノズル１３から水流を断続的に噴射することにより、入浴者Ｍの足関節ａ１、膝関節ａ２及び股関節ａ３を屈伸させ、入浴者に他動運動させることができる。そして、本具体例においては、入浴者Ｍが足を張出部１６ｂの上面１７ｂに乗せる際に、足を凹部１８ｂ内に位置させることにより、入浴者の足の下方への移動が規制されると共に、幅方向への移動も規制され、より確実に足を水流の経路内に位置させることができる。また、本具体例においては、脚部安定手段としての張出部１６ｂに台形状の溝である凹部１８ｂが形成されていることにより、ノズル１３から吐水される水流を一定方向に向かうようにガイドすることができる。これにより、入浴者Ｍがステッピング運動中であって、足裏がノズル１３から遠くなったり近くなったりする状態であっても、入浴者Ｍの足裏に対してまとまった水流を安定して噴射することができる。この結果、入浴者Ｍは滑らかなステッピング運動を行うことができる。本具体例における上記以外の動作及び効果は、前述の第１の具体例と同様である。
【００２７】
次に、第１の実施形態の第３の具体例について説明する。
図５は、本具体例に係る浴槽装置を模式的に例示する斜視図である。
図５に示すように、本具体例においては、前述の第２の具体例と比較して、張出部の上面が滑らかな曲面となっている。すなわち、本具体例に係る浴槽装置１１ｃにおいては、張出部１６ｃが設けられており、張出部１６ｃの上面１７ｃは浴槽２の幅方向に沿って湾曲しており、ノズル１３から噴射される水流経路の直下に凹部１８ｃが形成されている。上面１７ｃは浴槽２の長手方向に沿っては湾曲していない。本具体例によれば、前述の第２の具体例と比較して、入浴者の脚部が張出部の上面の角部に当たることがなく、より快適に運動することができる。また、すり鉢状の凹部１８ｃは、図３に示す矩形状の凹部１８ｂよりも、入浴者がノズル１３に足裏を対向させる際の両足の開き角度を制約しない。このため、入浴者はノズル１３に足裏を対向させる際に、よりリラックスした姿勢をとることができ、より快適にステッピング運動を行うことができる。本具体例における上記以外の構成、動作及び効果は、前述の第２の具体例と同様である。
【００２８】
次に、第１の実施形態の第４の具体例について説明する。
図６は、本具体例に係る浴槽装置を模式的に例示する斜視図である。
図６に示すように、本具体例においては、前述の第２の具体例と比較して、張出部の上面に形成された凹部の形状が異なっている。すなわち、本具体例に係る浴槽装置１１ｄにおいても、前述の第２の具体例と同様に、張出部１６ｄの上面１７ｄに浴槽装置２の長手方向に延びる凹部１８ｄが形成されている。しかしながら、本具体例においては、凹部１８ｄの上面１７ｄからの深さは、前述の第２の具体例における凹部１８ｃの上面１７ｃ（図３参照）からの深さよりも深い。また、凹部１８ｄの長手方向直交断面の形状は矩形である。
【００２９】
本具体例によれば、前述の第２の具体例と比較して、入浴者の脚部が浴槽２の幅方向に移動することを、より確実に防止することができる。すなわち、図６に示す凹部１８ｄは、図３に示す凹部１８ｃよりも深いため、入浴者Ｍの足の内転及び外転をより効果的に抑制することができ、ステッピング運動をより安定して継続的に行うことができる。また、運動を行わないときには、足を下げた入浴姿勢をとることができる。本具体例における上記以外の構成、動作及び効果は、前述の第２の具体例と同様である。
【００３０】
次に、第１の実施形態の第５の具体例について説明する。
図７は、本具体例に係る浴槽装置を模式的に例示する斜視図である。
図７に示すように、本具体例においては、前述の第４の具体例と比較して、張出部１６ｅの上面１７ｅに形成された凹部１８ｅがより深くなっており、凹部１８ｅの底面の高さが、浴槽２の底面２ｃの高さと等しくなっている。これにより、入浴者の脚部の幅方向の動きをより確実に規制できると共に、運動を行わないときには、足裏を臀部と同じ高さとした入浴姿勢をとることができる。本具体例における上記以外の構成、動作及び効果は、前述の第４の具体例と同様である。
【００３１】
次に、本発明の第２の実施形態について説明する。
図８は、本実施形態に係る浴槽装置を例示する模式図である。
図８に示すように、本実施形態においては、前述の第１の実施形態と比較して、脚部安定手段の構成が異なっている。すなわち、本実施形態に係る浴槽装置２１においては、前述の第１の実施形態と同様に、浴槽２内における足側面２ａ側の部分に脚部安定手段２６が設けられているが、脚部安定手段２６は、入浴者Ｍが足裏ｍ１を足側面２ａに対向させたときに、足が浴槽２の幅方向に移動することを規制するものである。本実施形態における上記以外の構成は、前述の第１の実施形態と同様である。
【００３２】
次に、本実施形態の動作について説明する。
本実施形態においては、噴出部３から断続的に噴射される水流によって入浴者の足が浴槽２の長手方向に沿って往復運動するときに、脚部安定手段２６が、入浴者Ｍの両足が幅方向に移動することを規制する。これにより、足が水流の経路から外れにくくなり、足の往復運動が安定する。また、噴出部３から吐水される水流によって脚部全体のステッピング運動を効率的に誘発するためには、噴射部３から吐水される水流の力を脚部全体に効率よく伝達する必要がある。このとき、入浴者の脚部が噴出部１３の延長線上から外れると、水流によって生成される押圧力の損失が大きくなる。そこで、本実施形態においては、脚部安定手段２６に脚部全体を噴射部３の延長線上に保持させることにより、前述の第１の実施形態において示した足のみをガイドする脚部安定手段と比較して、水流の力をより効率的にステッピング運動に利用することができる。本実施形態における上記以外の動作及び効果は、前述の第１の実施形態と同様である。
【００３３】
次に、本第２の実施形態を具現化する具体例について説明する。
先ず、第２の実施形態の第１の具体例について説明する。
図９は、本具体例に係る浴槽装置を模式的に例示する斜視図である。
【００３４】
図９に示すように、本具体例に係る浴槽装置３１ａにおいては、脚部安定手段として、浴槽２の足側面２ａに接する部分であって、浴槽２の幅方向の両側に、一対の張出部３６ａが形成されている。張出部３６ａは２個のノズル１３が形成されている領域の両側に形成され、相互に近づくように張り出しており、例えば、浴槽２の高さ方向全長にわたって形成されている。張出部１６ａの背側面２ｂ側の端部の位置は、入浴者がノズル１３から噴射される水流によって足関節、膝関節及び股関節を屈曲させたときに、入浴者の足裏が位置する位置よりも背側面２ｂ側である。
【００３５】
本具体例においては、入浴者が両足を張出部３６ａ間の空間内に入れることにより、足裏を容易にノズル１３に対向する位置に配置することができる。また、ノズル１３から水流が噴射されて、入浴者の足が背側面側に移動したときも、入浴者の足は張出部３６ａ間内に入っている。すなわち、一対の張出部３６ａは、入浴者Ｍの両足を張出部３６ａ間の空間内に閉じ込め、その幅方向外側に移動することを規制する。これにより、ノズル１３から水流が断続的に噴射されて足が往復運動する際に、足が水流の経路から外れないように案内することができる。本具体例における上記以外の構成、動作及び効果は、前述の第２の実施形態と同様である。
【００３６】
次に、第２の実施形態の第２の具体例について説明する。
図１０は、本具体例に係る浴槽装置を模式的に例示する斜視図である。
図１０に示すように、本具体例に係る浴槽装置３１ｂにおいては、前述の第１の具体例に係る浴槽装置３１ａ（図９参照）と比較して、一対の張出部３６ａの間に、張出部３６ｂが設けられている。張出部３６ｂは、２つのノズル１３の間に形成され、浴槽２の内部に向けて張り出している。より具体的には、張出部３６ｂは、足側面２ａにおけるノズル１３間の領域並びにその直上域及び直下域からなる領域から、背側面２ｂに向かう方向に、例えば張出部３６ａと同じ距離だけ延出している。これにより、一方の張出部３６ａと張出部３６ｂとの間、及び他方の張出部３６ａと張出部３６ｂとの間に、それぞれ隙間３７ａが形成されている。本具体例における上記以外の構成は、前述の第２の実施形態の第１の具体例と同様である。
【００３７】
本具体例によれば、入浴者が入浴姿勢をとり、両足をそれぞれ隙間３７ａ内に進入させることにより、足裏をノズル１３に対向する位置に配置することが容易になる。また、入浴者の両足が浴槽の幅方向に移動することを、両足のそれぞれについて規制することができる。すなわち、入浴者の左足が左側の水流の経路よりも右側に移動すること、及び、右足が右側の水流の経路よりも左側に移動することを規制できる。これにより、入浴者の両足がもつれることを防止することができ、足の動きをより安定させて、入浴者により快適に運動させることができる。本具体例における上記以外の動作及び効果は、前述の第２の実施形態の第１の具体例と同様である。
【００３８】
次に、第２の実施形態の第３の具体例について説明する。
図１１は、本具体例に係る浴槽装置を模式的に例示する斜視図である。
図１１に示すように、本具体例は、前述の第１の実施形態と第２の実施形態とを組み合わせた具体例である。すなわち、本具体例に係る浴槽装置３１ｃにおいては、浴槽２の足側面２ａに張出部３６ｃが形成されており、この張出部３６ｃはノズル１３の下方及び側方に配置されている。具体的には、張出部３６ｃの形状は背側面２ｂ（図８参照）側から見てＥ字状になっており、ノズル１３から噴射される水流の経路及びその直上域が露出するように、上側及び背側面側が開口した２ヶ所の隙間３７ｂが形成されている。
【００３９】
本具体例によれば、入浴者が入浴姿勢をとり、両足をそれぞれ隙間３７ｂ内に位置させることにより、足裏を容易にノズル１３に対向する位置に配置することができる。また、足が往復運動しているときも、足が水流の経路から下方及び側方に逸脱することが規制されるため、足の動きをより一層安定させることができる。本具体例における上記以外の構成、動作及び効果は、前述の第２の実施形態の第２の具体例と同様である。
【００４０】
なお、前述の第２の実施形態の第１乃至第３の具体例においては、張出部が浴槽の高さ方向全長にわたって形成されている例を示したが、第２の実施形態はこれに限定されず、張出部は少なくともノズルの側方に形成されていればよい。
【００４１】
以上、実施形態及びその具体例を参照しつつ、本発明の特徴を説明したが、本発明はこれらの実施形態及び具体例に限定されるものではない。すなわち、前述の各実施形態及び各具体例を適宜組み合わせたもの、並びに各実施形態及び各具体例のいずれかに係る浴槽装置に対して、当業者が構成要素の追加、省略又は設計変更を加えたものであっても、本発明の要旨を備えたものであれば、本発明の範囲に包含される。例えば、前述の各具体例においては、脚部安定手段が張出部である例を示したが、本発明はこれに限定されず、足の軌跡を水流の経路上に設定することを補助できるものであればよい。また、前述の各実施形態及び具体例においては、２個の噴出部が設けられている例を示したが、本発明はこれに限定されず、噴出部の数は１個又は３個以上であってもよい。更に、前述の各実施形態及び具体例においては、浴槽の形状が略直方体形状である例を示したが、本発明はこれに限定されず、入浴者が、噴出部が設けられた内側面に対向する内側面に背中を当接させて、入浴姿勢をとれるものであればよい。
【図面の簡単な説明】
【００４２】
【図１】本発明の第１の実施形態に係る浴槽装置を例示する模式図である。
【図２】第１の実施形態の第１の具体例に係る浴槽装置を模式的に例示する斜視図である。
【図３】第１の実施形態の第２の具体例に係る浴槽装置を模式的に例示する斜視図である。
【図４】第２の具体例に係る浴槽装置が作動したときの入浴者の運動状態を例示する斜視図である。
【図５】第１の実施形態の第３の具体例に係る浴槽装置を模式的に例示する斜視図である。
【図６】第１の実施形態の第４の具体例に係る浴槽装置を模式的に例示する斜視図である。
【図７】第１の実施形態の第５の具体例に係る浴槽装置を模式的に例示する斜視図である。
【図８】本発明の第２の実施形態に係る浴槽装置を例示する模式図である。
【図９】第２の実施形態の第１の具体例に係る浴槽装置を模式的に例示する斜視図である。
【図１０】第２の実施形態の第２の具体例に係る浴槽装置を模式的に例示する斜視図である。
【図１１】第２の実施形態の第３の具体例に係る浴槽装置を模式的に例示する斜視図である。
【符号の説明】
【００４３】
１、１１ａ、１１ｂ、１１ｃ、１１ｄ、２１、３１ａ、３１ｂ、３１ｃ  浴槽装置、２  浴槽、２ａ  足側面、２ｂ  背側面、２ｃ  底面、３  噴出部、４  ポンプ、５  吐水制御手段、５ａ  機構部、５ｂ  切替制御部、６、２６  脚部安定手段、１３  ノズル、１６ａ、１６ｂ、１６ｃ、１６ｄ、１６ｅ、３６ａ、３６ｂ、３６ｃ  張出部、１７ａ、１７ｂ、１７ｃ、１７ｄ、１７ｅ  上面、１８ｂ、１８ｃ、１８ｄ、１８ｅ  凹部、３７ａ、３７ｂ  隙間、ａ１  足関節、ａ２  膝関節、ａ３  股関節、Ｍ  入浴者、ｍ１  足裏、ｍ２  背中、Ｒ  範囲、Ｗ  水
【図１】
2009072516.tif 000003
【図２】
2009072516.tif 000004
【図３】
2009072516.tif 000005
【図４】
2009072516.tif 000006
【図５】
2009072516.tif 000007
【図６】
2009072516.tif 000008
【図７】
2009072516.tif 000009
【図８】
2009072516.tif 000010
【図９】
2009072516.tif 000011
【図１０】
2009072516.tif 000012
【図１１】
2009072516.tif 000013